(57)【特許請求の範囲】
【請求項１】
外部より入力信号が入力される信号入力回路と、操作釦と接続され、該操作釦の操作により目標時間を設定するキースイッチ回路と、信号入力回路への入力信号が入力し始めてからの経過時間を計測する信号処理回路と、目標時間までの経過時間が信号処理回路により計測されてなる時間値を表示する表示回路と、時間値を初期値へリセット可能なリセット回路と、を備えた信号制御装置において、
前記信号処理回路は、前記時間値を任意値に切り替える時間値切替回路が設けられ、
前記リセット回路は外部からの入力によりオン又はオフのいずれかが選択されるものであって、リセット回路がオンであって前記操作釦が操作されなかった場合は時間値の初期値へのリセット動作を行い、リセット回路がオンであって前記操作釦が操作された場合は時間値切替回路における時間値の任意値への切替動作を行って、リセット回路がオフであって前記操作釦が操作された場合は目標時間が設定されることを特徴とする信号制御装置。
【発明の詳細な説明】
【０００１】
【発明の属する技術分野】
本発明は、デジタル表示のタイマやアワーメータ等の信号制御装置に関するものである。
【０００２】
【従来の技術】
従来、この種の信号制御装置として、図６に示すものがある。このものは、生産や試験のための設備に設けられたタイマであって、キースイッチ回路A 、信号入力回路B 、信号処理回路C 、表示回路D 、リセット回路E 、出力回路F を備えている。キースイッチ回路A は、例えば、１０００時間というような、前述した設備が稼動し始める時間である目標時間等を設定する。信号入力回路B は、制御用の各種の入力信号が外部から入力される。信号処理回路C は、目標時間になるまで入力信号が入力し始めてからの経過時間を計測する。表示回路D は、信号処理回路C により計測されてなる時間値を表示する。つまり、経過時間が、例えば、２００時間であれば、時間値は２００時間となり、その２００時間という時間値を、表示回路D が表示する。リセット回路E は、時間値を初期時間である０時間へリセットする。出力回路F は、時間値が目標時間に到達したときに、出力信号を出力する。
【０００３】
【発明が解決しようとする課題】
上記した従来の信号制御装置にあっては、何らかの原因で故障してしまって経過時間を計測しなくなり、例えば、目標時間が１０００時間なのに、２００時間で停止してしまった場合、同種の信号制御装置に交換することになるが、目標時間である１０００時間に対して、既に２００時間経過しているのであるから、この交換前の信号制御装置における残り時間の８００時間を、目標時間として設定し直すことになる。こうすれば、時間値が、この設定し直された目標時間の８００時間に到達したとき、つまり、交換前の古い信号制御装置の目標時間である１０００時間に到達したとき、出力回路F から出力信号が設備へと出力されて、設備が稼動するようになる。
【０００４】
こうして、出力回路F から出力信号を出力した後に、時間値を初期時間である０時間にリセットして、０時間から再度使用する場合、交換前の古い信号制御装置の目標時間である１０００時間を目標時間として設定するとき、目標時間が８００時間に設定されているままであるから、１０００時間に設定し直さすことになるが、うっかり、この１０００時間への設定し直しを忘れたりすると、設備の稼動に支障をきたすようになる。このように、設備の稼動に支障をきたさないように、交換を伴う度に、目標時間をその都度設定し直さなければいけないようでは、使い勝手が良くないという問題点があった。
【０００５】
本発明は、上記の点に着目してなされたもので、その目的とするところは、使い勝手の良い制御装置を提供することにある。
【０００６】
【課題を解決するための手段】
上記した課題を解決するために、請求項１記載の発明は、外部より入力信号が入力される信号入力回路と、操作釦と接続され、該操作釦の操作により目標時間を設定するキースイッチ回路と、信号入力回路への入力信号が入力し始めてからの経過時間を計測する信号処理回路と、目標時間までの経過時間が信号処理回路により計測されてなる時間値を表示する表示回路と、時間値を初期値へリセット可能なリセット回路と、を備えた信号制御装置において、前記信号処理回路は、前記時間値を任意値に切り替える時間値切替回路が設けられ、前記リセット回路は外部からの入力によりオン又はオフのいずれかが選択されるものであって、リセット回路がオンであって前記操作釦が操作されなかった場合は時間値の初期値へのリセット動作を行い、リセット回路がオンであって前記操作釦が操作された場合は時間値切替回路における時間値の任意値への切替動作を行って、リセット回路がオフであって前記操作釦が操作された場合は目標時間が設定される構成にしてある。
【０００８】
【発明の実施の形態】
本発明の第１実施形態を図１及び図２に基づいて以下に説明する。この信号制御装置は、タイマであって、装置本体1 の内部に、電源回路2 、信号入力回路3 、キースイッチ回路4 、信号処理回路5 、クロック発生回路6 、表示回路7 、リセット回路8 、出力回路9 を備えている。
【０００９】
電源回路2 は、本信号制御装置内の各回路が動作するための電圧に商用電源電圧から変圧して、各回路に給電する。信号入力回路3 は、各種入力信号が外部から入力される。キースイッチ回路4 は、装置本体1 の前面に設けられた操作釦1aに接続され、例えば、１０００時間というような、設備が稼動し始める時間である目標時間等を操作釦1aの操作により設定する。
【００１０】
信号処理回路5 は、ＣＰＵ5a及び時間値切替回路5bを備えている。ＣＰＵ5aは、クロック発生回路6 により発生されたクロックに同期して、目標時間になるまで入力信号が入力し始めてからの経過時間を計測する。時間値切替回路5bは、本信号処理回路により計測されてなる時間値を任意値に切り替える切替動作をする。表示回路7 は、装置本体1 の前面に設けられた時間値用表示部1bに前述した時間値を表示するとともに、装置本体1 の前面に設けられた目標時間用表示部1cに目標時間を表示する。
【００１１】
リセット回路8 は、前述した時間値を初期時間である０時間へのリセット動作又は時間値切替回路5bに切替動作をさせる制御動作を選択可能であって、選択された動作を実行する。詳しくは、このリセット回路8 は、装置本体1 の前面に設けられたリセット釦1dによる操作又は装置本体1 の背面に設けられたリセットスイッチ端子（図示せず）への入力により、ＯＮ又はＯＦＦのいずれかが選択され、ＯＮが選択されているときに、装置本体1 の操作釦1aが操作されると、前述した制御動作が選択されて、時間値切替回路5bに切替動作をさせ、操作釦1aの操作により設定された任意値に時間値を切り替える。また、ＯＮが選択されているときに、装置本体1 の操作釦1aが操作されないと、リセット動作が選択される。さらに、ＯＦＦが選択されているときに、装置本体1 の操作釦1aが操作されると、目標時間が設定される。出力回路9 は、前述した時間値が目標時間に到達したときに、出力信号を出力する。
【００１２】
かかる信号制御装置にあっては、例えば、時間値が目標時間に到達することなく途中の経過時間で停止してしまった同種の故障機器の代替機器として使用される場合、その代替機器の時間値を、故障機器の停止してしまった時間値に、時間値切替回路5bにより切り替えることによって、故障機器における目標時間までの残りの時間を代替機器の目標時間としなくてもよくなるので、新旧の機器の交換の前後で、目標時間が一定のとき、代替機器の目標時間をその都度設定し直さなくてもよくなり、使い勝手を良くすることができる。
【００１３】
次に、本発明の参考例を図３乃至図５に基づいて以下に説明する。なお、第１実施形態と実質的に同一の機能を有した回路及び部材には同一の記号を付し、第１実施形態と異なるところのみ記す。第１実施形態は、タイマであるのに対し、本参考例は、アワーメータであって、第１実施形態で設けられていた出力回路9 及びキースイッチ回路4 が設けられておらず、桁指定回路10が設けられた構成となっている。リセット回路8 は、リセット動作のみするようになっている。
【００１４】
詳しくは、桁指定回路10は、複数桁を有した任意値における切り替えられる桁を指定する回路である。切り替えられる桁を指定するよう桁指定回路10に一度入力すると、図５(a) に示すように、時間値用表示部1bにおける最下位の１桁目が点滅し、この点滅中に、信号入力回路3 に所定回数の入力をすると、その所定回数だけ数値がアップして、その桁における任意値に切り替えられる。この最下位の１桁目の切り替えが終了した後に、再度、桁指定回路10に入力すると、同図(b) に示すように、時間値用表示部1bにおける２桁目が点滅し、この点滅中に、信号入力回路3 に所定回数の入力をすると、その所定回数だけ数値がアップして、その桁における任意値に切り替えられる。この２桁目の切り替えが終了した後に、再度、桁指定回路10に入力すると、同図(c) に示すように、時間値用表示部1bにおける３桁目が点滅し、この点滅中に、信号入力回路3 に所定回数の入力をすると、その所定回数だけ数値がアップして、その桁における任意値に切り替えられる。以後、４桁目以降の切り替えも同様にしてなされる。
【００１５】
かかる信号制御装置にあっては、例えば、時間値が目標時間に到達することなく途中の経過時間で停止してしまった同種の故障機器の代替機器として使用される場合、その代替機器の時間値を、故障機器の停止してしまった時間値に、時間値切替回路5bにより切り替えることによって、故障機器における経過時間を忘れないように記録しなくてもよくなり、使い勝手を良くすることができる。
【００１６】
また、複数桁を有した任意値のその切り替えられる桁を桁指定回路10により指定することにより、複数の桁毎に任意値に切り替えるための入力手段を設けなくてもよくなる。
【００１７】
【発明の効果】
請求項１記載の発明は、例えば、時間値が目標時間に到達することなく途中の経過時間で停止してしまった同種の故障機器の代替機器として使用される場合、その代替機器の時間値を、故障機器の停止してしまった時間値に、時間値切替回路により切り替えることによって、故障機器における目標時間までの残りの時間を代替機器の目標時間としなくてもよくなるので、新旧の機器の交換の前後で、目標時間が一定のとき、代替機器の目標時間をその都度設定し直さなくてもよくなり、使い勝手を良くすることができる。
【図面の簡単な説明】
【図１】本発明の第１実施形態の構成図である。
【図２】同上の斜視図である。
【図３】本発明の第２実施形態の構成図である。
【図４】同上の斜視図である。
【図５】同上の桁指定回路の動作の説明図である。
【図６】従来例の構成図である。
【符号の説明】
3   信号入力回路
5   信号処理回路
5b  時間値切替回路
7   表示回路
8   リセット回路
10  桁指定回路
【図１】
0004000681.tif 000002
【図２】
0004000681.tif 000003
【図３】
0004000681.tif 000004
【図４】
0004000681.tif 000005
【図５】
0004000681.tif 000006
【図６】
0004000681.tif 000007